(57)【要約】【課題】ユーザの健康に関わるデータを考慮して施設の情報を提示すること。【解決手段】提示装置は、ユーザの健康に関わる生体データを測定するデータ測定部から、生体データを取得するデータ取得部と、取得された生体データに関連する施設を探索する探索部と、探索された施設の情報を地図画像上に提示する提示部とを備える。【選択図】図１
2020016575.tif 000002
【特許請求の範囲】
【請求項１】
ユーザの健康に関わる生体データを測定するデータ測定部から、前記生体データを取得するデータ取得部と、
取得された前記生体データに関連する施設を探索する探索部と、
探索された前記施設の情報を地図画像上に提示する提示部と、
を備える提示装置。
【請求項２】
前記探索部は、前記生体データの目標値と現在値との差に応じて前記施設を探索する、
請求項１に記載の提示装置。
【請求項３】
前記ユーザの現在位置を測定する位置測定部から、前記現在位置を取得する位置取得部をさらに備え、
前記生体データは、所定期間の前記ユーザの歩数を含み、
前記探索部は、前記現在位置から、前記歩数の目標値と現在値との差に対応した距離以上の距離に位置する前記施設を探索する、
請求項２に記載の提示装置。
【請求項４】
前記生体データは、所定期間の前記ユーザの摂取カロリー又は消費カロリーを含み、
前記探索部は、前記ユーザの前記摂取カロリーの目標値と現在値との差に対応した前記摂取カロリーを摂取可能な前記施設又は前記ユーザの前記消費カロリーの目標値と現在値との差に対応した前記消費カロリーを消費可能な前記施設を探索する、
請求項２又は３に記載の提示装置。
【請求項５】
前記生体データは、前記ユーザの血圧を含み、
前記探索部は、前記ユーザの血圧が閾値を超えているときに、前記ユーザの血圧の低下に寄与するサービスを提供する前記施設を探索する、
請求項１に記載の提示装置。
【請求項６】
前記生体データは、前記ユーザの心拍数を含み、
前記探索部は、前記ユーザの心拍数が閾値を超えているときに、前記ユーザの心拍数の上昇を抑えるサービスを提供する前記施設を探索する、
請求項１に記載の提示装置。
【請求項７】
前記生体データは、前記ユーザの呼気を含み、
前記探索部は、前記ユーザの呼気に異常があるときに、前記ユーザの呼気の異常を抑えるサービスを提供する前記施設を探索する、
請求項１に記載の提示装置。
【請求項８】
前記施設に関するキーワードの入力を受け付ける入力部をさらに備え、
前記探索部は、前記入力部で入力されたキーワードに関連した前記施設の中で、取得された前記生体データに関連する前記施設を探索する、
請求項１乃至７の何れか１項に記載の提示装置。
【請求項９】
前記ユーザの現在位置を測定する位置測定部から、前記現在位置を取得する位置取得部をさらに備え、
前記探索部は、前記現在位置から所定の距離の範囲に位置する前記施設の中で、取得された前記生体データに関連する前記施設を探索する、
請求項１乃至８の何れか１項に記載の提示装置。
【請求項１０】
提示装置が実行する情報の提示方法であって、
ユーザの健康に関わる生体データを測定するデータ測定部から、前記生体データを取得することと、
取得された前記生体データに関連する施設を探索することと、
探索された前記施設の情報を地図画像上に提示することと、
を備える提示方法。
【請求項１１】
請求項１乃至９のいずれかに記載の提示装置が備える前記各部の処理を、前記提示装置が備えるプロセッサに実行させる提示プログラム。
【発明の詳細な説明】
【技術分野】
【０００１】
本発明は、例えば、施設の提示装置、提示方法及び提示プログラムに関する。
【背景技術】
【０００２】
特許文献１の経路案内装置は、地図情報を用いて目的地までの経路を探索する経路案内装置において、消費カロリー及び歩数といった、ユーザの健康管理に必要な情報に基づいて目的地までの推奨経路を探索している。
【先行技術文献】
【特許文献】
【０００３】
【特許文献１】特開平１０−１４８５３９号公報
【発明の概要】
【発明が解決しようとする課題】
【０００４】
ユーザの移動の目的は、必ずしも特定の場所に行くことであるとは限らない。例えば、ユーザは、健康のために歩くこと自体を目的としている場合もある。このような場合、より健康になれるような施設の情報をユーザに対して提示することは、歩くことに対する動機をユーザに対して与える面からも有益である。他の例であっても、ユーザの移動中に健康になれるような施設の情報をユーザに対して提示することは、有益である。
【０００５】
本発明は、前記の事情に鑑みてなされたものであり、一側面では、ユーザの健康に関わるデータを考慮して施設の情報を提示する提示装置、提示方法及び提示プログラムを提供することを目的とする。
【課題を解決するための手段】
【０００６】
本開示の第１の例の提示装置は、ユーザの健康に関わる生体データを測定するデータ測定部から、生体データを取得するデータ取得部と、取得された生体データに関連する施設を探索する探索部と、探索された施設の情報を地図画像上に提示する提示部とを備える。ここでの地図画像は、静止画として表示される地図画像であってもよいし、動画として表示される地図画像であってもよい。また、地図画像は、２次元の地図画像であってもよいし、３次元の地図画像であってもよい。さらには、ここでの地図画像は、現在地の周辺を撮影して得られる実写画像であってもよい。
【０００７】
第１の例の構成では、ユーザの健康に関わる生体データに関連する施設の情報が地図画像上に提示される。したがって、この構成では、ユーザがより健康になることが期待される。
【０００８】
第１の例の構成において、探索部は、生体データの現在値を目標値にする施設を探索してよい。
【０００９】
この構成では、生体データが目標値となるような施設が提示されることにより、ユーザの生体データの目標を達成できる。これにより、ユーザがより健康になることが期待される。
【００１０】
第１の例の構成において、提示装置は、ユーザの現在位置を測定する位置測定部から、現在位置を取得する位置取得部をさらに備えていてよい。また、生体データは、ユーザの現在位置と、所定期間のユーザの歩数とを含んでいてよい。このとき、探索部は、ユーザの現在位置から、歩数の現在値と歩数の目標値との差に対応した距離以上の距離に位置する施設を探索してよい。
【００１１】
この構成では、歩数が目標値となるような施設が提示されることにより、ユーザに対して歩く動機を与えつつ、ユーザはより健康になることが期待される。
【００１２】
第１の構成の例において、生体データは、所定期間のユーザの摂取カロリー又は消費カロリーを含んでいてよい。このとき、探索部は、ユーザの摂取カロリーの目標値と現在値との差又は消費カロリーの目標値と現在値との差に応じて施設を探索してよい。
【００１３】
この構成では、ユーザの摂取カロリー又は消費カロリーをコントロールできるような施設が提示されることにより、ユーザに対して歩く動機を与えつつ、ユーザはより健康になることが期待される。
【００１４】
第１の構成の例において、生体データは、ユーザの血圧を含んでいてよい。このとき、探索部は、ユーザの血圧が閾値を超えているときに、ユーザの血圧の低下に寄与するサービスを提供する施設を探索してよい。
【００１５】
この構成では、例えば高血圧のユーザに対して、血圧の低下に寄与するサービスを提供する施設が提示される。このため、ユーザに対して歩く動機を与えつつ、ユーザはより健康になることが期待される。
【００１６】
第１の構成の例において、生体データは、ユーザの心拍数を含んでいてよい。このとき、探索部は、ユーザの心拍数が閾値を超えているときに、ユーザの心拍数の上昇を抑えるサービスを提供する施設を探索してよい。
【００１７】
この構成では、ユーザの心拍に異常が発生しているときに、その異常を抑える施設が提示される。このため、ユーザの異常が抑えられることが期待される。
【００１８】
第１の構成の例において、生体データは、ユーザの呼気を含んでいてよい。このとき、探索部は、ユーザの呼気に異常があるときに、ユーザの呼気の異常を抑えるサービスを提供する施設を探索してよい。
【００１９】
この構成では、ユーザの呼気に異常が発生しているときに、その異常を抑える施設が提示される。このため、ユーザの異常が抑えられることが期待される。
【００２０】
第１の構成の例において、提示装置は、施設に関するキーワードの入力を受け付ける入力部をさらに備えていてよい。このとき、探索部は、入力部で入力されたキーワードに関連した施設の中で、取得された生体データに関連する施設を探索してよい。
【００２１】
この構成では、入力されたキーワードに関連した施設の中から、生体データに関連する施設が探索される。したがって、ユーザにとって不要な施設の情報が提示されることを抑制することができる。また、探索の負荷を低減することができる。
【００２２】
第１の構成の例において、提示装置は、ユーザの現在位置を測定する位置測定部から、現在位置を取得する位置取得部をさらに備えていてよい。このとき、探索部は、ユーザの現在位置から所定の距離の範囲に位置する施設の中で、取得された生体データに関連する施設を探索してよい。
【００２３】
この構成では、ユーザの現在位置から所定の距離の範囲に位置する施設の中から、生体データに関連する施設が探索される。したがって、大量の施設の情報がユーザに対して提示されることを抑制することができる。また、探索の負荷を低減することができる。
【００２４】
本開示の第２の例の提示方法は、ユーザの健康に関わる生体データを測定するデータ測定部から、生体データを取得することと、取得された生体データに関連する施設を探索することと、探索された施設の情報を地図画像上に提示することとを備える。ここでの地図画像は、静止画として表示される地図画像であってもよいし、動画として表示される地図画像であってもよい。また、地図画像は、２次元の地図画像であってもよいし、３次元の地図画像であってもよい。さらには、ここでの地図画像は、現在地の周辺を撮影して得られる実写画像であってもよい。
【００２５】
この構成では、第１の例と同様に、ユーザがより健康になることが期待される。
【００２６】
本開示の第３の例の提示プログラムは、ユーザの健康に関わる生体データを測定するデータ測定部から、生体データを取得することと、取得された生体データに関連する施設を探索することと、探索された施設の情報を地図画像上に提示することとをコンピュータに実行させる。ここでの地図画像は、静止画として表示される地図画像であってもよいし、動画として表示される地図画像であってもよい。また、地図画像は、２次元の地図画像であってもよいし、３次元の地図画像であってもよい。さらには、ここでの地図画像は、現在地の周辺を撮影して得られる実写画像であってもよい。
【００２７】
この構成では、第１の例と同様に、ユーザがより健康になることが期待される。
【発明の効果】
【００２８】
本発明によれば、ユーザの健康に関わるデータを考慮して施設の情報を提示する提示装置、提示方法及び提示プログラムを提供することができる。
【図面の簡単な説明】
【００２９】
【図１】図１は、実施形態に係る提示装置の適用例を模式的に示す図である。
【図２】図２は、提示装置の構成例としての通信システムを模式的に示す図である。
【図３】図３は、測定装置の構成の一例を模式的に示す図である。
【図４】図４は、携帯端末の構成の一例を模式的に示す図である。
【図５】図５は、サーバの構成の一例を模式的に示す図である。
【図６】図６は、通信システムの動作例としての携帯端末の処理の一例を示すフローチャートである。
【図７】図７は、生体データを利用した施設の探索処理の一例を示すフローチャートである。
【図８】図８は、呼気異常又は心拍異常があったときの施設情報の表示の一例を示す図である。
【図９Ａ】図９Ａは、歩数に応じて探索された施設情報、摂取カロリーに応じて探索された施設情報及び血圧に応じて探索された施設情報の表示の一例を示す図である。
【図９Ｂ】図９Ｂは、ユーザによって施設Ｃ１のマーカがタッチされたときに表示される詳細情報の一例を示す図である。
【発明を実施するための形態】
【００３０】
以下、本発明の実施形態を、図面に基づいて説明する。
§１  適用例  
図１は、本実施形態に係る提示装置の一適用例を模式的に示す図である。提示装置１は、データ測定部１１と、データ取得部１２と、探索部１３と、記憶部１４と、提示部１５と、位置測定部１６と、位置取得部１７と、入力部１８とを備えている。
【００３１】
データ測定部１１は、ユーザの健康に関わる生体データを取得する。データ取得部１２は、データ測定部１１で測定された生体データを取得する。ここで、生体データは、ユーザの歩数、摂取及び消費カロリー、血圧、心拍数、呼気の少なくとも何れかのデータを含んでいてよい。データ測定部１１は、提示装置１とは別個に設けられていてもよい。
【００３２】
探索部１３は、データ取得部１２によって取得された生体データと関連する施設を探索する。探索部１３は、例えば記憶部１４に記憶されている施設の情報の中から、生体データによって特定される条件を満足する施設を探索する。
【００３３】
記憶部１４は、施設の情報を地図画像と関連付けて記憶している。施設の情報は、例えば施設の名称、地図画像上での位置、健康情報といった情報を含む。施設に関わる健康情報は、例えば、当該施設で提供される料理のカロリーの情報、カロリー消費に供する運動施設がある旨の情報、血圧の上昇の抑制効果のある料理を提供している旨の情報、休憩できる場所がある旨の情報といった、ユーザの健康に関連する情報である。記憶部１４は、提示装置１とは別個に設けられていてもよい。
【００３４】
提示部１５は、探索部１３で探索された施設の情報をユーザに対して提示する。
【００３５】
位置測定部１６は、ユーザの現在位置を測定する。現在位置は、例えば緯度と経度の情報を含む。位置取得部１７は、位置測定部１６で測定されたユーザの現在位置を取得する。探索部１３は、必要に応じて、施設の探索のときにユーザの現在位置の情報も用いる。例えば、探索部１３は、ユーザの現在位置から所定の距離の範囲内に存在する施設の中から、生体データによって特定される条件を満足する施設を探索する。
【００３６】
入力部１８は、ユーザからの施設に関わるキーワードの入力を受け付ける。探索部１３は、必要に応じて、施設の探索のときにユーザから入力されたキーワードの情報も用いる。例えば、探索部１３は、ユーザによって入力されたキーワードと関連する施設の中から、生体データによって特定される条件を満足する施設を探索する。
【００３７】
以上のとおり、本実施形態の一適用例によれば、提示装置１は、データ測定部１１によって測定されたユーザの生体データと関連する施設を探索し、探索した施設の情報をユーザに対して提示することができる。
【００３８】
§２  構成例  
＜システム構成＞
図２は、本実施形態に係る提示装置の構成例としての通信システムを模式的に示す図である。通信システムは、例えば測定装置１００と、携帯端末２００と、サーバ３００とを有する。
【００３９】
測定装置１００は、ユーザの生体データを測定する。測定装置１００は、生体データ及び現在位置データといった各種のデータを測定する。測定装置１００は、データ測定部１１及び位置測定部１６の一例である。測定装置１００は、例えばウェアラブル型の装置であってもよいし、携帯型の装置であってもよい。測定装置１００は、例えば近距離無線通信を用いて、携帯端末２００に送信する。測定装置１００の詳細については後で説明する。
【００４０】
携帯端末２００は、例えばスマートフォン又はタブレットＰＣといったユーザが携帯できる端末である。携帯端末２００は、提示装置の一例である。携帯端末２００は、例えば近距離無線通信を用いて、測定装置１００から生体データを受信する。携帯端末２００は、サーバ３００と通信しながら、生体データに基づく施設の探索をし、探索した施設の情報をユーザに対して提示する。携帯端末２００の詳細については後で説明する。
【００４１】
サーバ３００は、多数の施設の情報を地図画像と関連付けて記憶している記憶装置を有する。サーバ３００は、記憶部１４の一例である。携帯端末２００は、ネットワークＮＷを介して、サーバ３００にアクセスして必要な施設の情報を探索する。
【００４２】
＜測定装置＞  
図３は、測定装置１００の構成の一例を模式的に示す図である。測定装置１００は、一例として、制御回路１０１と、記憶媒体１０２と、通信インタフェース１０３と、入力インタフェース１０４と、出力インタフェース１０５と、生体センサ１０６と、ＧＰＳ（Global Positioning System）受信機１０７と、バッテリ１０８とを有している。なお、図３では、「インタフェース」を、「Ｉ／Ｆ」と記載している。
【００４３】
制御回路１０１は、例えばＣＰＵ（Central Processing Unit）１０１１、ＲＯＭ（Read Only Memory）１０１２、ＲＡＭ（Random Access Memory）１０１３を含む。制御回路１０１は、測定装置１００の全体の制御を行う。ＣＰＵ１０１１は、例えばＲＯＭ１０１２に格納されたプログラムをＲＡＭ１０１３に展開し、展開したプログラムを実行する。このような構成により、制御回路１０１は、プログラムに応じた様々な処理を実行する。制御回路１０１は、必ずしもＣＰＵといったプロセッサによって処理を実行するものでなくてもよい。制御回路１０１は、ＡＳＩＣ（Application Specific Integrated Circuit）、ＦＰＧＡ(Field Programmable Gate Array)等で処理を実行するものであってもよい。また、ＣＰＵ１０１１等は、１つではなく、２つ以上であってもよい。ＲＯＭ１０１２及びＲＡＭ１０１３は、例えば情報を電気的作用に記憶するものである。ＲＯＭ１０１２及びＲＡＭ１０１３は、データを、他の作用、例えば磁気的、光学的、機械的又は化学的作用によって記憶するものであってもよい。
【００４４】
記憶媒体１０２は、データを、電気的、磁気的、光学的、機械的又は化学的作用によって記憶する媒体である。記憶媒体１０２は、例えば、フラッシュメモリ等の半導体メモリ、ＨＤＤ（Hard Disk Drive）、ＳＳＤ（Solid State Drive）である。記憶媒体１０２は、例えば生体センサ１０６で測定される各種の生体データ及びＧＰＳ受信機１０７で測定される測位データといった各種のデータを記憶する。記憶媒体１０２は、制御回路１０１において実行されるプログラム、生体センサ１０６における各種の設定等を記憶してもよい。また、記憶媒体１０２は、複数であってもよい。
【００４５】
通信インタフェース１０３は、近距離無線通信用のモジュールを含む。近距離無線通信は、例えばブルートゥース（登録商標）による通信であるが、これに限定されない。通信インタフェース１０３は、近距離無線通信を用いて、携帯端末２００と通信する。
【００４６】
入力インタフェース１０４は、タッチスクリーン、ボタン、スイッチ等のユーザの入力を受け付けるための装置である。ユーザは、入力インタフェース１０４を用いて、例えば、歩数の目標値、消費カロリーの目標値、摂取カロリーの目標値を設定することができる。設定された目標値は、例えば記憶媒体１０２に記憶される。なお、目標値は、必ずしもユーザによって設定される必要はない。目標値は、例えばユーザの年齢、身長、体重といった情報から制御回路１０１において自動的に設定されてもよい。
【００４７】
出力インタフェース１０５は、例えば、ディスプレイ、ＬＥＤ（Light Emitting Diode）表示器、スピーカといった各種の情報の出力をするための装置である。
【００４８】
生体センサ１０６は、ユーザの生体データを測定する。生体センサ１０６は、例えば歩数計１０６１、活動量計１０６２、カメラ１０６３、血圧計１０６４、心拍計１０６５及び呼気センサ１０６６を有する。歩数計１０６１は、所定期間、例えば１日のユーザの歩数をカウントする。歩数計１０６１は、例えば加速度センサ式の歩数計でよい。活動量計１０６２は、所定期間、例えば１日のユーザの運動の種類及び強度を推定し、推定した運動の種類及び強度から個々の運動における消費カロリーをカウントする。活動量系１０６２は、ユーザの休憩中等の不活動の消費カロリー、不活動時間をカウントしてもよいし、睡眠中の消費カロリー、睡眠時間をカウントしてよい。活動量計１０６２は、例えば加速度センサ式の活動量計である。カメラ１０６３は、撮像によって画像を取得する。カメラ１０６３は、光学系と、撮像素子とを有する。画像は、例えばユーザが食べる料理の画像である。料理の画像から、ユーザの摂取カロリーが推定され得る。また、料理の画像の取得時刻から、ユーザの食事時間が推定され得る。血圧計１０６４は、例えば記憶媒体１０２に記憶されている血圧データの測定スケジュールに沿ってユーザの血圧を測定する。血圧計１０６４は、例えば脈波伝播時間（Pulse Transit Time）からユーザの血圧を測定するものであってもよいし、例えばオシロメトリック法で測定するものであってもよいし、例えばトノメトリ法によって測定するものであってもよい。心拍計１０６５は、ユーザの心拍を測定する。心拍計１０６５は、例えばユーザの胸部に取り付けられて心拍を直接的に測定するものであってもよいし、例えばユーザの手首に取り付けられて脈拍を心拍として測定するものであってもよい。さらに、心拍計１０６５は、例えばユーザの耳に取り付けられて脈拍を心拍として測定するものであってもよい。呼気センサ１０６６は、ユーザの呼気を測定する。呼気センサ１０６６は、呼気に含まれる成分を測定できてもよい。
【００４９】
ＧＰＳ受信機１０７は、複数のＧＰＳ衛星から送信される複数のＧＰＳ信号をそれぞれ受信し、各ＧＰＳ信号を制御回路１０１へ出力する。制御回路１０１は、ＧＰＳ信号に基づいて、測定装置１００の現在位置を算出する。ＧＰＳ受信機１０７は、ＷＬＡＮ用の無線通信モジュールから受信される信号等を併用して測定装置１００の現在位置の算出精度を高めてもよい。さらには、ＧＰＳ受信機１０７の代わりに、ＷＬＡＮ用の無線通信モジュールから受信される信号等から測定装置１００の現在位置を算出する位置センサが利用されてもよい。この場合、ＧＰＳ信号の受信のためのアンテナ等は不要である。
【００５０】
バッテリ１０８は、測定装置１００の電源を供給する。バッテリ１０８は、交換可能であってもよい。
【００５１】
測定装置１００の具体的なハードウェア構成に関して、実施形態に応じて、適宜、構成要素の省略、置換及び追加が可能である。例えば、生体センサ１０６に含まれるセンサは、それぞれ単独のセンサ装置であってもよい。また、生体センサ１０６に含まれるセンサのうちの２つ以上が１つのセンサ装置であってもよい。
【００５２】
＜携帯端末＞  
図４は、携帯端末２００の構成の一例を模式的に示す図である。携帯端末２００は、一例として、制御回路２０１と、記憶媒体２０２と、通信インタフェース２０３と、入力インタフェース２０４と、出力インタフェース２０５と、ＧＰＳ受信機２０６と、バッテリ２０７とを有している。なお、図４では、「インタフェース」を、「Ｉ／Ｆ」と記載している。
【００５３】
制御回路２０１は、例えばＣＰＵ２０１１、ＲＯＭ２０１２、ＲＡＭ２０１３を含む。制御回路２０１は、携帯端末２００の全体の制御を行う。ＣＰＵ２０１１は、例えばＲＯＭ２０１２に格納されたプログラムをＲＡＭ２０１３に展開し、展開したプログラムを実行する。このような構成により、制御回路２０１は、プログラムに応じた様々な処理を実行する。例えば、制御回路２０１は、データ取得部２０１１ａ、位置取得部２０１１ｂ、探索部２０１１ｃの処理を実行する。制御回路２０１は、必ずしもＣＰＵといったプロセッサによって処理を実行するものでなくてもよい。制御回路２０１は、ＡＳＩＣ、ＦＰＧＡ等で処理を実行するものであってもよい。また、ＣＰＵ２０１１等は、１つではなく、２つ以上であってもよい。ＲＯＭ２０１２及びＲＡＭ２０１３は、例えば情報を電気的作用に記憶するものである。ＲＯＭ２０１２及びＲＡＭ２０１３は、データを、他の作用、例えば磁気的、光学的、機械的又は化学的作用によって記憶するものであってもよい。
【００５４】
記憶媒体２０２は、データを、電気的、磁気的、光学的、機械的又は化学的作用によって記憶する媒体である。記憶媒体２０２は、例えば、フラッシュメモリ等の半導体メモリ、ＨＤＤ（Hard Disk Drive）、ＳＳＤ（Solid State Drive）である。記憶媒体２０２は、例えば制御回路２０１において実行されるプログラムを記憶する。このプログラムは、例えば地図アプリケーションのためのプログラムを含む。制御回路２０１は、地図アプリケーションのためのプログラムを実行することで、ユーザの生体データを考慮した施設情報を地図画像上に表示する処理を行う。また、記憶媒体２０２は、複数であってもよい。
【００５５】
通信インタフェース２０３は、近距離無線通信、移動通信（３Ｇ、４Ｇ等）及びＷＬＡＮ（Wireless Local Area Network）等のための各種無線通信モジュールを含む。近距離無線通信は、例えばブルートゥースによる通信であるが、これに限定されない。近距離無線通信用の無線通信モジュールは、測定装置１００から生体データを受信する。移動通信用の無線通信モジュール又はＷＬＡＮ用の無線通信モジュールは、サーバ３００とも通信する。
【００５６】
入力インタフェース２０４は、タッチスクリーン、ボタン、スイッチ等のユーザの入力を受け付けるための装置である。例えば、ユーザは、入力インタフェース２０４を用いて文字等を入力することができる。
【００５７】
出力インタフェース２０５は、例えば、ディスプレイ、スピーカといった各種の情報の出力をするための装置である。
【００５８】
ＧＰＳ受信機２０６は、複数のＧＰＳ衛星から送信される複数のＧＰＳ信号をそれぞれ受信し、各ＧＰＳ信号を制御回路２０１へ出力する。制御回路２０１は、ＧＰＳ信号に基づいて、携帯端末２００の現在位置を算出する。ＧＰＳ受信機２０６は、ＷＬＡＮ用の無線通信モジュールから受信される信号等を併用して携帯端末２００の現在位置の算出精度を高めてもよい。さらには、ＧＰＳ受信機２０６の代わりに、ＷＬＡＮ用の無線通信モジュールから受信される信号等から携帯端末２００の現在位置を算出する位置センサが利用されてもよい。この場合、ＧＰＳ信号の受信のためのアンテナ等は不要である。
【００５９】
バッテリ２０７は、携帯端末２００の電源電圧を供給する。バッテリ２０７は、交換可能であってもよい。
【００６０】
携帯端末２００の具体的なハードウェア構成に関して、実施形態に応じて、適宜、構成要素の省略、置換及び追加が可能である。例えば、携帯端末２００は、通話できるように構成されていてもよい。
【００６１】
＜サーバ＞  
図５は、サーバ３００の構成の一例を模式的に示す図である。サーバ３００は、一例として、制御回路３０１と、記憶媒体３０２と、通信インタフェース３０３とを有している。なお、図５では、「インタフェース」を、「Ｉ／Ｆ」と記載している。
【００６２】
制御回路３０１は、例えばＣＰＵ３０１１、ＲＯＭ３０１２、ＲＡＭ３０１３を含む。制御回路３０１は、サーバ３００の全体の制御を行う。ＣＰＵ３０１１は、例えばＲＯＭ３０１２に格納されたプログラムをＲＡＭ３０１３に展開し、展開したプログラムを実行する。このような構成により、制御回路３０１は、プログラムに応じた様々な処理を実行する。例えば、制御回路３０１は、携帯端末２００からの要求に応じて地図データ３０２１及び施設情報３０２２を参照し、携帯端末２００の要求に合った施設を探索する処理を行う。また、ＣＰＵ２０１１等は、１つではなく、２つ以上であってもよい。ＲＯＭ２０１２及びＲＡＭ２０１３は、例えば情報を電気的作用に記憶するものである。ＲＯＭ２０１２及びＲＡＭ２０１３は、データを、他の作用、例えば磁気的、光学的、機械的又は化学的作用によって記憶するものであってもよい。
【００６３】
記憶媒体３０２は、データを、電気的、磁気的、光学的、機械的又は化学的作用によって記憶する媒体である。記憶媒体３０２は、例えば、フラッシュメモリ等の半導体メモリ、ＨＤＤ（Hard Disk Drive）、ＳＳＤ（Solid State Drive）である。記憶媒体３０２は、地図データ３０２１と、施設情報３０２２とを記憶している。サーバ３００の制御回路３０１は、定期的にネットワークにアクセスし、地図データ３０２１と、施設情報３０２２とを更新することが望ましい。
【００６４】
通信インタフェース３０３は、例えば、移動通信（３Ｇ、４Ｇ等）及びＷＬＡＮ（Wireless Local Area Network）等のための各種無線通信モジュール又は有線ＬＡＮ等のため有線通信モジュールを含む。移動通信用の無線通信モジュール、ＷＬＡＮ用の無線通信モジュール又は有線通信モジュールは、携帯端末２００と通信する。
【００６５】
サーバ３００の具体的なハードウェア構成に関して、実施形態に応じて、適宜、構成要素の省略、置換及び追加が可能である。例えば、サーバ３００は、サーバ３００のオペレータのための入力インタフェース及び出力インタフェースを有していてもよい。
【００６６】
§３  動作例  
以下、通信システムの動作例を説明する。図６は、通信システムの動作例としての携帯端末２００の処理の一例を示すフローチャートである。ここで、図６は、例えば携帯端末２００に予めインストールされた地図アプリケーションが起動されたときに行われる処理の一例を示している。地図アプリケーションが起動されていないときには、携帯端末２００は、スマートフォン又はタブレットＰＣにおいて通常知られた処理を行う。また、以下で説明する処理手順は一例に過ぎず、各処理は可能な限り変更されてよい。また、以下で説明する処理手順について、実施形態に応じて、適宜、ステップの省略、置換及び追加が可能である。
【００６７】
なお、測定装置１００及びサーバ３００の処理はフローチャートとして示していないが、測定装置１００は、生体データを測定し、測定した生体データを定期的に又は携帯端末２００からの要求に応じて送信することを行う。また、サーバ３００は、携帯端末２００からの要求に応じて携帯端末２００に対して種々のデータを送信する。測定装置１００及びサーバ３００の処理の詳細については説明を省略する。
【００６８】
ステップＳ１において、制御回路２０１は、ＧＰＳ受信機２０６から携帯端末２００の現在位置、すなわちユーザの現在位置を取得する。なお、ユーザの現在位置は、必ずしもＧＰＳ受信機２０６から取得しなくてもよい。例えば、測定装置１００のＧＰＳ受信機１０７から取得される測定装置１００の現在位置をユーザの現在位置としてもよい。この場合、ＧＰＳ受信機２０６は不要になる。
【００６９】
ステップＳ２において、制御回路２０１は、サーバ３００から地図データ３０２１を取得する。そして、制御回路２０１は、取得した地図データ３０２１に基づいて、ユーザの現在位置の周辺の地図画像をタッチスクリーン付きのディスプレイに表示させる。なお、フローチャートには示していないが、ディスプレイに表示される地図画像の縮尺を変更することができてもよい。例えば、制御回路２０１は、ユーザによるタッチスクリーン等の操作に応じてディスプレイに表示させる地図画像の縮尺を変更してもよい。また、フローチャートには示していないが、ディスプレイに表示される地図画像を、現在位置の周辺から変更することができてもよい。例えば、制御回路２０１は、ユーザによるタッチスクリーン等の操作に応じてディスプレイに表示させる地図画像を変更してもよい。
【００７０】
ステップＳ３において、制御回路２０１は、施設の探索をするか否かを判定する。例えば、地図画像とともに表示された探索指示のためのソフトウェアボタンがタッチされたとき又は探索指示のために予め定められたスイッチが操作されたとき、施設の探索をすると判定される。ステップＳ３において、施設の探索をすると判定されたとき、処理はステップＳ４に移行する。ステップＳ３において、施設の探索をしないと判定されたとき、処理はステップＳ１０に移行する。
【００７１】
ステップＳ４において、制御回路２０１は、施設の探索モードが生体データ活用モードであるか否かを判定する。本実施形態では、地図アプリケーションの施設の探索モードは、生体データ活用モードを含んでいてよい。生体データ活用モードは、施設の探索に生体データを使用するモードである。なお、地図アプリケーションは、常に生体データを使用して施設の探索を行ってもよい。この場合、ステップＳ４の判定は不要である。ステップＳ４において、施設の探索モードが生体データ活用モードでないと判定されたときには、処理はステップＳ５に移行する。ステップＳ４において、施設の探索モードが生体データ活用モードであると判定されたときには、処理はステップＳ７に移行する。
【００７２】
ステップＳ５において、制御回路２０１は、生体データを用いずに施設の探索を行う。例えば、制御回路２０１は、ユーザから入力されたキーワードと関連する施設を、サーバ３００と通信しつつ探索する。施設の探索に際しては、キーワード以外の種々の情報が利用され得る。例えば、ホームページ閲覧履歴といった、ユーザの好みを表す情報が併用されてもよい。
【００７３】
ステップＳ６において、制御回路２０１は、探索した施設の情報を地図画像上に表示させる。その後、処理はステップＳ１０に移行する。施設の情報の表示は、例えば探索された施設の個々の位置にマーカを表示させることで行われてもよいし、探索された施設の名称の一覧を表示させることで行われてもよい。また、施設の情報の表示のときには、施設の名称、施設の住所等の施設の関連情報も併せて表示されてよい。
【００７４】
ステップＳ７において、制御回路２０１は、通信インタフェース２０３を用いて測定装置１００から各種の生体データを取得する。
【００７５】
ステップＳ８において、制御回路２０１は、生体データを利用した施設の探索処理を行う。生体データを利用した施設の探索処理の詳細については後で説明する。
【００７６】
ステップＳ９において、制御回路２０１は、探索した施設の情報を地図画像上に表示させる。その後、処理はステップＳ１０に移行する。生体データを利用して探索された施設の情報の表示の例は、後で説明する。
【００７７】
ステップＳ１０において、制御回路２０１は、地図アプリケーションを終了するか否かを判定する。例えば、ユーザの入力インタフェース２０４の操作によってアプリケーションの終了が指示されたときに、地図アプリケーションを終了すると判定される。ステップＳ１０において、地図アプリケーションを終了しないと判定されたときには、処理はステップＳ１に戻る。この場合、再度の現在位置の取得が行われ、必要に応じて地図画像が更新される。ステップＳ１０において、地図アプリケーションを終了すると判定されたときには、図６の処理は終了する。
【００７８】
図７は、生体データを利用した施設の探索処理の一例を示すフローチャートである。以下で説明する処理手順は一例に過ぎず、各処理は可能な限り変更されてよい。また、以下で説明する処理手順について、実施形態に応じて、適宜、ステップの省略、置換及び追加が可能である。
【００７９】
ステップＳ１０１において、制御回路２０１は、呼気センサ１０６６によって測定される呼気のデータから、ユーザの呼気に異常があるか否かを判定する。例えば、ユーザの呼気に含まれる一酸化窒素（ＮＯ）の濃度から喘息等の発作の有無が推定され得る。このため、制御回路２０１は、呼気センサ１０６６によって測定される呼気に含まれる一酸化窒素の濃度が所定値を超えているときには、呼気に異常があると判定してよい。勿論、呼気に異常があるか否かの判定は、一酸化窒素濃度の測定に限るものではない。ステップＳ１０１において、ユーザの呼気に異常がないと判定されたときには、処理はステップＳ１０２に移行する。ステップＳ１０１において、ユーザの呼気に異常があると判定されたときには、処理はステップＳ１０３に移行する。
【００８０】
ステップＳ１０２において、制御回路２０１は、心拍計１０６５によって測定される心拍（脈拍）のデータから、ユーザの心拍に異常があるか否かを判定する。例えば、制御回路２０１は、心拍計１０６５によって測定される心拍の値が正常値から大きく乖離しているときには、ユーザの心拍に異常があると判定してよい。ステップＳ１０２において、ユーザの心拍に異常があると判定されたときには、処理はステップＳ１０３に移行する。ステップＳ１０２において、ユーザの心拍に異常がないと判定されたときには、処理はステップＳ１０７に移行する。
【００８１】
ステップＳ１０３において、制御回路２０１は、ユーザの現在位置から所定の距離範囲（例えば半径５００ｍ）における、ユーザの呼吸の異常又はユーザの心拍数の上昇を抑えるサービスを提供する施設、例えば医療施設及び休憩施設を探索するようにサーバ３００に要求する。サーバ３００は、施設情報３０２２を参照して、ユーザの現在位置から所定の距離範囲の医療施設（病院等）及び休憩施設（公園等）を探索する。サーバ３００は、ユーザの現在位置の周辺の交通量を取得できるのであれば、ユーザの現在位置の周辺の医療施設及び休憩施設のうちで交通量の少ない、すなわち相対的に空気がきれいであると考えられる医療施設及び休憩施設だけを探索してもよい。医療施設及び休憩施設の探索の完了後、サーバ３００は、探索結果を携帯端末２００の制御回路２０１に返す。その後、処理はステップＳ１０４に移行する。
【００８２】
ステップＳ１０４において、制御回路２０１は、該当する施設があったか否かを判定する。ステップＳ１０４において、該当する施設があったと判定されたときには、処理はステップＳ１０５に移行する。ステップＳ１０４において、該当する施設がなかったと判定されたときには、処理はステップＳ１０６に移行する。
【００８３】
ステップＳ１０５において、制御回路２０１は、該当する施設の情報を取得する。例えば、制御回路２０１は、該当する施設の情報を記憶媒体２０２に記憶する。その後、図７の処理は終了する。この場合、図６のステップＳ９において、探索された施設の情報が地図画像上に表示される。
【００８４】
図８は、呼気異常又は心拍異常があったときの施設情報の表示の一例を示す図である。図８の例では、携帯端末２００のディスプレイに地図画像２０４ａが表示されている。また、図８の例では、地図画像上での例えば中心に携帯端末２００の位置を表すマーカ２０４ｂが表示される。そして、図８の例では、施設情報として、例えば地図画像２０４ａにおける該当施設のある場所に、施設の所在を表すマーカ２０４ｃがその施設の名称とともに表示される。マーカ２０４ｂの形状とマーカ２０４ｃの形状とは異なっていてよい。また、マーカ２０４ｂの色とマーカ２０４ｃの色も異なっていてよい。さらに、図８の例では、呼吸の異常があるために休憩をとることをユーザに促すためのメッセージ２０４ｄが表示される。心拍の異常があるときには、メッセージ２０４ｄは、心拍が乱れていることをユーザに通知するためのメッセージに置き換えられてよい。また、メッセージ２０４ｄと同様の内容は音声によって通知されてもよい。さらに、携帯端末２００を振動させること等によって、施設情報が表示されたことがユーザに対して通知されてもよい。図８は、あくまでも一例に過ぎない。施設情報の表示の仕方、メッセージの表示内容等は適宜に変更されてよい。
【００８５】
ステップＳ１０６において、制御回路２０１は、ユーザに対して呼吸や心拍の異常があることを警告する。ステップＳ１０６の処理が行われるとき、ユーザの現在位置の周辺には医療施設及び休憩施設がないので、警告だけが行われる。警告は、表示、音声及びそれらの組み合わせによって行われ得る。また、携帯端末２００を振動させる処理等も併用されてよい。さらに、呼吸や心拍の異常の程度が大きい場合には、現在位置から最も近い医療施設に例えば電子メールが送信されることによって連絡がなされてもよい。このような連絡は、ステップＳ１０５において行われてもよい。
【００８６】
ここで、ステップＳ１０１−Ｓ１０２の判定に加えて、制御回路２０１は、血圧計１０６４によって測定される血圧のデータから、ユーザの血圧に異常があるか否かも判定してよい。この場合も、ユーザの血圧に異常があると判定されたときには、処理はステップＳ１０３に移行する。なお、血圧が異常であるか否かを判定するための閾値は、後で説明するステップＳ１１４における、一般に高血圧であると判定される基準値よりも高い値であってよい。
【００８７】
ステップＳ１０７において、制御回路２０１は、ユーザによるキーワードの入力があったか否かを判定する。ステップＳ１０７において、キーワードの入力があったと判定されたときに、処理はステップＳ１０８に移行する。ステップＳ１０７において、キーワードの入力がないと判定されたときに、処理はステップＳ１０９に移行する。
【００８８】
ステップＳ１０８において、制御回路２０１は、ユーザの現在位置から所定の距離範囲（例えば１ｋｍ）の、ユーザから入力されたキーワードと関連する施設を、サーバ３００と通信しつつ探索する。例えば、制御回路２０１は、ユーザから入力されたキーワードとユーザの現在位置とを、通信インタフェース２０３を用いてサーバ３００に送信する。サーバ３００は、施設情報３０２２を参照して、ユーザの現在位置から所定の距離範囲で、キーワードに対応した施設を探索する。施設の探索の完了後、サーバ３００は、探索結果を携帯端末２００の制御回路２０１に返す。その後、処理はステップＳ１１０に移行する。なお、所定の距離範囲は、固定範囲であってもよいし、可変であってもよい。可変範囲の場合、例えば、所定の距離範囲は、ユーザの１日の平均歩数に応じて決められてもよい。例えば、制御回路２０１は、１日の歩数が多い人については所定の距離範囲を長く設定し、制御回路２０１は、１日の歩数が少ない人については所定の距離範囲を短く設定してもよい。
【００８９】
ステップＳ１０９において、制御回路２０１は、ユーザの現在位置から所定の距離範囲の、予め定められた施設を、サーバ３００と通信しつつ探索する。予め定められた施設は、例えば、レストラン等の食事施設、観光施設といった施設である。何れの施設を探索するかは予めユーザによって選択されてよい。このような探索する施設が予め定められている場合、例えば、制御回路２０１は、ユーザの現在位置から所定の距離範囲の食事施設を探索するように、通信インタフェース２０３を用いてサーバ３００に対して要求する。サーバ３００は、施設情報３０２２を参照して、ユーザの現在位置から所定の距離範囲の食事施設を探索する。施設の探索の完了後、サーバ３００は、探索結果を携帯端末２００の制御回路２０１に返す。その後、処理はステップＳ１１０に移行する。
【００９０】
ステップＳ１１０において、制御回路２０１は、サーバ３００によって探索された施設の中で、ユーザの現在位置から、歩数の目標値と現在値との差に対応した距離以上の距離に位置する施設があるか否かを判定する。ステップＳ１１０において、ユーザの現在位置から、歩数の目標値と現在値との差に対応した距離以上の距離に位置する施設があると判定されたときには、処理はステップＳ１１１に移行する。ステップＳ１１０において、ユーザの現在位置から、歩数の目標値と現在値との差に対応した距離以上の距離に位置する施設がないと判定されたときには、処理はステップＳ１１２に移行する。
【００９１】
ステップＳ１１０の判定の一例を説明する。ステップＳ１１０においては、例えば、制御回路２０１は、測定装置１００に予め設定されている歩数の目標値と、測定装置１００の歩数計１０６１によって測定された歩数の現在値との差Ａ１を算出する。また、制御回路２０１は、ユーザの現在位置からサーバ３００によって探索された各施設までの距離をそれぞれ算出する。各施設までの距離は、直線距離ではなく、徒歩で移動できる経路の距離である。次に、制御回路２０１は、各施設までの距離をユーザの歩幅で除することにより、ユーザの現在位置から各施設までの歩数Ｂ１を算出する。Ａ１とＢ１の算出後、制御回路２０１は、Ｂ１≧Ａ１となる施設があるか否かを判定する。Ｂ１≧Ａ１となる施設があるとき、ユーザの現在位置から、歩数の目標値と現在値との差に対応した距離以上の距離に位置する施設があると判定する。
【００９２】
ステップＳ１１１において、制御回路２０１は、該当する施設の情報を取得する。例えば、制御回路２０１は、該当する施設の情報を記憶媒体２０２に記憶する。その後、処理はステップＳ１１２に移行する。この場合、図６のステップＳ９において、探索された施設の情報が地図画像上に表示される。ユーザは、Ｂ１≧Ａ１となる施設まで歩くことで、歩数の目標値の分だけ歩くことができることになる。つまり、探索された施設は、ユーザの目的地の候補となり得る。
【００９３】
ステップＳ１１２において、制御回路２０１は、サーバ３００によって探索された施設の中で、摂取カロリーの目標値と現在値との差に対応した摂取カロリーが得られる施設があるか否かを判定する。ステップＳ１１２において、摂取カロリーの目標値と現在値との差に対応した摂取カロリーが得られる施設があると判定されたときには、処理はステップＳ１１３に移行する。ステップＳ１１２において、摂取カロリーの目標値と現在値との差に対応した摂取カロリーが得られる施設がないと判定されたときには、処理はステップＳ１１４に移行する。
【００９４】
ステップＳ１１２の判定の一例を説明する。ステップＳ１１２において、例えば、制御回路２０１は、摂取カロリーの目標値と現在値との差Ａ２を算出する。摂取カロリーの目標値は、測定装置１００に予め設定されている目標値である。一方、摂取カロリーの現在値は、例えば、カメラ１０６３によって取得されるユーザの食事の画像から判別され得る。例えば、制御回路２０１は、カメラ１０６３から取得されるユーザの食事の画像を、カロリーの値が既知の各種の料理の画像と比較する。そして、制御回路２０１は、比較の結果、一致度の高い料理の画像のカロリーをその食事におけるユーザの摂取カロリーとする。このようにして、個々の食事のカロリーを求め、求めたカロリーを積算することにより、摂取カロリーの現在値が算出され得る。次に、制御回路２０１は、各施設において摂取され得る摂取カロリーＢ２を算出する。例えば、探索された施設が食事施設であれば、個々の料理のカロリーの値は公開されていることが多い。このようなカロリーの値は、施設情報３０２２として記憶されている。したがって、制御回路２０１は、サーバ３００の施設情報３０２２として記憶されている施設毎の摂取カロリーをＢ２として取得すればよい。なお、摂取カロリーＢ２は料理毎のカロリーの値でなくてもよい。例えば、施設内で提供される料理の平均摂取カロリーがＢ２として取得されてもよい。カロリーの情報が公開されていなければ、料理の名称、材料、料理の画像といった他の公開されている情報から、当該料理の平均的なカロリーの値を推定して摂取カロリーとすることができる。また、探索された施設が、カロリーの摂取と無関係の施設である場合もある。この場合、摂取カロリーＢ２の算出は行う必要はない。Ａ２とＢ２の算出後、制御回路２０１は、Ａ２≧Ｂ２となる施設があるか否かを判定する。Ａ２≧Ｂ２となる施設があるとき、摂取カロリーの目標値と現在値との差に対応した摂取カロリーが得られる施設があると判定する。
【００９５】
ステップＳ１１３において、制御回路２０１は、該当する施設の情報を取得する。例えば、制御回路２０１は、該当する施設の情報を記憶媒体２０２に記憶する。その後、処理はステップＳ１１４に移行する。この場合、図６のステップＳ９において、探索された施設の情報が地図画像上に表示される。ユーザがＡ２≧Ｂ２となる施設でカロリーを摂取したとしても、摂取カロリーは目標値以内となる。つまり、探索された施設は、ユーザの目的地の候補となり得る。
【００９６】
ステップＳ１１４において、制御回路２０１は、血圧計１０６４によって測定される血圧のデータから、ユーザの血圧が閾値を超えているか否かを判定する。この閾値は、例えば、一般に高血圧であると判定される基準値であってよい。ステップＳ１１４において、ユーザの血圧が閾値を超えていると判定されたときには、処理はステップＳ１１５に移行する。ステップＳ１１４において、ユーザの血圧が閾値を超えていないと判定されたときには、図７の処理は終了する。
【００９７】
ステップＳ１１５において、サーバ３００によって探索された施設の中で、血圧の低下に寄与するサービスを提供する施設があるか否かを判定する。血圧の低下に寄与するサービスを提供する施設は、例えば血圧を下げる効果のある料理を提供する食事施設、血圧を下げる効果のある食材（例えば野菜）を安売りしている店舗といった施設である。サーバ３００は、例えばインターネット等のネットワークから取得することで、血圧を下げる効果のある食材を安売りしている店舗の情報を取得する。制御回路２０１は、サーバ３００で取得された情報に基づき、サーバ３００によって探索された施設の中で、血圧の低下に寄与するサービスを提供する施設があるか否かを判定する。ステップＳ１１５において、血圧の低下に寄与するサービスを提供する施設があると判定されたときには、処理はステップＳ１１６に移行する。ステップＳ１１５において、血圧の低下に寄与するサービスを提供する施設がないと判定されたときには、図７の処理は終了する。
【００９８】
ステップＳ１１６において、制御回路２０１は、該当する施設の情報を取得する。例えば、制御回路２０１は、該当する施設の情報を記憶媒体２０２に記憶する。その後、図７の処理は終了する。この場合、図６のステップＳ９において、探索された施設の情報が地図画像上に表示される。ユーザが血圧の低下に寄与する施設に行くことで、ユーザの血圧が下がることが期待される。
【００９９】
図９Ａは、歩数に応じて探索された施設情報、摂取カロリーに応じて探索された施設情報及び血圧に応じて探索された施設情報の表示の一例を示す図である。図９Ａの例では、図８の例と同様に、携帯端末２００のディスプレイに地図画像２０４ａが表示されている。また、図９Ａの例では、図８の例と同様に、地図画像での例えば中心に携帯端末２００の位置を表すマーカ２０４ｂが表示される。そして、図９Ａの例では、施設情報として、例えば地図画像上の該当施設のある場所に、施設の所在を表すマーカ２０４ｃがその施設の名称とともに表示される。ここで、施設Ｂ１及びＢ２は、歩数に応じて探索された施設、すなわちＢ１≧Ａ１となる施設である。また、施設Ｃ１及びＣ２は、摂取カロリーに応じて探索された施設、すなわちＡ２≧Ｂ２となる施設である。また、施設Ｄは、血圧に応じて探索された施設である。また、施設Ｅは、生体データとは無関係に探索された施設である。施設Ｂ１及びＢ２を表すマーカと、施設Ｃ１及びＣ２を表すマーカと、施設Ｄを表すマーカと、施設Ｅを表すマーカとは例えば色分けされている。これにより、ユーザは、歩数に応じて探索された施設情報、摂取カロリーに応じて探索された施設情報、血圧に応じて探索された施設情報の表示及びそれ以外の施設情報を容易に識別できる。なお、施設Ｂ１及びＢ２を表すマーカと、施設Ｃ１及びＣ２を表すマーカと、施設Ｄを表すマーカと、施設Ｅを表すマーカとは、色分けでなく、形状で分けられていてもよい。施設Ｂ１及びＢ２を表すマーカと、施設Ｃ１及びＣ２を表すマーカと、施設Ｄを表すマーカと、施設Ｅを表すマーカとは、色と形状の両方で分けられていてもよい。
【０１００】
図９Ａの表示がされているときに、例えばユーザによって何れかのマーカがタッチされると、タッチされたマーカによって表される施設の詳細情報が表示されてもよい。例えば、図９Ｂは、ユーザによって施設Ｃ１のマーカがタッチされたときに表示される詳細情報の一例を示す図である。例えば、施設Ｃ１は、レストランである。図９Ｂの例では、施設Ｃ１でユーザが摂取カロリーの目標値を超えない範囲で食べられる料理のリスト２０４ｅが表示される。リスト２０４ｅには、それぞれの料理のカロリーも併せて表示されてよい。
【０１０１】
図９Ａ及び図９Ｂは、あくまでも一例に過ぎない。施設情報の表示の仕方、メッセージの表示内容等は適宜に変更されてよい。
【０１０２】
以上説明したように本実施形態によれば、ユーザの各種の生体データが測定され、測定された生体データに関連する施設の情報が地図画像において提示される。ユーザの現在の健康状態に即した情報が提示されるので、ユーザがより健康になることが期待される。
【０１０３】
例えば、歩数の目標値と現在値との差に応じた施設情報が提示されることにより、ユーザは、提示された施設まで歩くことで目標の歩数分だけ歩くことができる。このようにして、ユーザに対して歩く動機を与えることができる。したがって、ユーザがより健康になることが期待される。
【０１０４】
また、摂取カロリーの目標値と現在値との差に応じた施設情報が提示されることにより、ユーザの過剰なカロリーの摂取を抑制することができる。したがって、ユーザがより健康になることが期待される。
【０１０５】
また、高血圧のユーザに対して血圧の低下に寄与する施設情報が提示されることによってユーザがより健康になることが期待される。
【０１０６】
また、施設情報の探索に際してはキーワードやユーザの現在位置からの距離に応じて施設が探索されてから、生体データに応じて施設が探索される。これにより、ユーザにとって関係ない施設の情報が大量に提示されるおそれが低減される。また、探索の負荷も低減される。
【０１０７】
§４  変形例
（変形例１）  
ステップＳ１１０の判定は、歩数ではなく、消費カロリーに置き換えられてもよい。消費カロリーの目標値は、測定装置１００に予め設定されている目標値である。一方、消費カロリーの現在値は、活動量計１０６２から取得され得る。消費カロリーの目標値と現在値との差Ａ３を算出した後、制御回路２０１は、各施設への移動に伴う消費カロリーＢ３を算出する。Ａ３とＢ３の算出後、制御回路２０１は、Ｂ３＞≧Ａ３となる施設があるか否かを判定する。Ｂ３≧Ａ３となる施設があるとき、消費カロリーの目標値と現在値との差に対応した消費カロリーが得られる施設があると判定する。また、運動ができる施設であれば、その施設における運動によって消費されるカロリーもＢ３に加えられてもよい。
【０１０８】
（変形例２）
また、施設の探索において、複数のセンサで測定される生体データが考慮されてもよい。例えば、カロリーに応じた施設を探索するのに当たり、制御回路２０１は、活動量計１０６２で測定される消費カロリーとカメラ１０６３で得られた画像から測定される摂取カロリーとの差に応じて施設を探索してもよい。また、例えば、制御回路２０１は、歩数又は消費カロリーに応じた施設を探索するのに当たり、目標値と現在値の差の値に心拍計１０６５等の測定結果に応じた重み付けをしてもよい。例えば、制御回路２０１は、心拍計１０６５によって測定される心拍によってユーザの体調があまりよくないことが判定されたときには、目標値と現在値との差の値に小さな重みを付けてよい。このような構成の場合、ユーザの体調のよくないときには、ユーザの現在位置の近くの施設が提示されやすくなる。
【０１０９】
（その他の変形例）
図７では、比較的に緊急性を伴う図８の施設情報の表示と緊急性を伴わない図９Ａの施設情報の表示とは個別に行われるものとして説明している。しかしながら、図８の表示と図９Ａの表示とは同時に行われてもよい。
【０１１０】
また、前述した実施形態では、携帯端末２００とサーバ３００とが協働しながら施設情報の探索をしている。これに対し、図１の適用例で示した構成と同等の構成を測定装置１００が有していれば、測定装置１００が単独で施設情報の探索をしてもよい。また、図１の適用例で示した構成と同等の構成を携帯端末２００が有していれば、携帯端末２００が単独で施設情報の探索をしてもよい。さらに、図１の適用例で示した構成と同等の構成をサーバ３００が有していれば、サーバ３００が単独で施設情報の探索をしてもよい。また、施設情報の探索には、人工知能が利用されてもよい。
【０１１１】
また、前述した本実施形態において登場するデータを自然言語により説明しているが、より具体的には、コンピュータが認識可能な疑似言語、コマンド、パラメータ、マシン語などで指定されてよい。
【０１１２】
この発明は、上記の実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素からいくつかの構成要素を削除してもよい。さらに、異なる実施形態に亘る構成要素を適宜組み合わせてもよい。
【０１１３】
§５  付記  
上記各実施形態の一部または全部は、特許請求の範囲のほか以下の付記に示すように記載することも可能であるが、これに限定されない。
（付記１）  
ユーザの健康に関わる生体データを測定するデータ測定部（１１）から、前記生体データを取得するデータ取得部（１２）と、
取得された前記生体データに関連する施設を探索する探索部（１３）と、
探索された前記施設の情報を地図画像上に提示する提示部（１５）と、
を備える提示装置。
【符号の説明】
【０１１４】
１…提示装置
１１…データ測定部
１２…データ取得部
１３…探索部
１４…記憶部
１５…提示部
１６…位置測定部
１７…位置取得部
１８…入力部
１００…測定装置
１０１…制御回路
１０２…記憶媒体
１０３…通信インタフェース
１０４…入力インタフェース
１０５…出力インタフェース
１０６…生体センサ
１０７…ＧＰＳ受信機
１０８…バッテリ
２００…携帯端末
２０１…制御回路
２０２…記憶媒体
２０３…通信インタフェース
２０４…入力インタフェース
２０５…出力インタフェース
２０６…ＧＰＳ受信機
２０７…バッテリ
３００…サーバ
３０１…制御回路
３０２…記憶媒体
３０３…通信インタフェース
１０１１…ＣＰＵ
１０１２…ＲＯＭ
１０１３…ＲＡＭ
１０６１…歩数計
１０６２…活動量計
１０６３…カメラ
１０６４…血圧計
１０６５…心拍計
１０６６…呼気センサ
２０１１…ＣＰＵ
２０１１ａ…データ取得部
２０１１ｂ…位置取得部
２０１１ｃ…探索部
２０１２…ＲＯＭ
２０１３…ＲＡＭ
３０１１…ＣＰＵ
３０１２…ＲＯＭ
３０１３…ＲＡＭ
【図１】
2020016575.tif 000003
【図２】
2020016575.tif 000004
【図３】
2020016575.tif 000005
【図４】
2020016575.tif 000006
【図５】
2020016575.tif 000007
【図６】
2020016575.tif 000008
【図７】
2020016575.tif 000009
【図８】
2020016575.tif 000010
【図９Ａ】
2020016575.tif 000011
【図９Ｂ】
2020016575.tif 000012